(57)【要約】【課題】搬送される被計量物に接触して被計量物の搬送厚さを規制する搬送調整部材を備えた組合せ秤において、清掃作業を搬送調整部材に邪魔されることなく容易に行えると共に、計量作業が可能な状態への復帰も速やかに行えるようにする。【解決手段】直進フィーダ７の搬送トラフ７ａ上の被計量物の搬送厚さを調整する搬送調整部材１２を、被計量物の搬送経路である搬送トラフ７ａに近接対向する規制位置（ａ）と、搬送トラフ７ａから離れた退避位置（ｂ）とに切換え変更可能にしている。【選択図】図１
2014025844.tif 000002
【特許請求の範囲】
【請求項１】
供給される被計量物を周囲へ分散させる分散部と、該分散部の周囲にそれぞれ配設されて前記分散部で分散される被計量物をそれぞれ搬送する複数の搬送部と、前記分散部または前記搬送部の上方に垂下されて、搬送される被計量物に接触して被計量物の搬送厚さを規制する搬送調整部材とを備える組合せ秤であって、
前記搬送調整部材は、前記被計量物の搬送経路に近接して前記搬送厚さを規制する規制位置と、前記被計量物の搬送経路から離れて前記搬送厚さを規制しない退避位置とに切換え変更可能に設けられる、
ことを特徴とする組合せ秤。
【請求項２】
前記分散部は、円錐状の受け皿を振動させて受け皿上の被計量物を分散させる分散フィーダであり、
前記複数の搬送部は、各搬送トラフをそれぞれ振動させて各搬送トラフ上の被計量物をそれぞれ搬送する複数の直進フィーダであり、
前記搬送調整部材は、各搬送トラフ上の被計量物の搬送厚さを規制する、
請求項１に記載の組合せ秤。
【請求項３】
前記搬送調整部材は、前記垂下された状態では、平面視で環状であって、その周方向で複数に分割され、分割された各搬送調整部材は、独立して、前記規制位置と前記退避位置とに切換え変更可能である、
請求項１または２に記載の組合せ秤。
【請求項４】
前記搬送調整部材は、支点周りに回動可能に支持され、一方への回動によって前記規制位置に切換わり、他方への反転回動によって前記退避位置に切換わる、
請求項３に記載の組合せ秤。
【請求項５】
前記搬送調整部材は、ブラケットを介して支持フレームに上下回動可能に支持され、下方に回動した搬送調整部材は、前記ブラケットが前記支持フレームに当接して前記規制位置に保持される、
請求項４に記載の組合せ秤。
【発明の詳細な説明】
【技術分野】
【０００１】
本発明は、菓子や果物などの被計量物を計量する組合せ秤に関する。
【背景技術】
【０００２】
組合せ秤は、被計量物が供給される複数の計量ホッパ内の被計量物の計量値を種々に組合せ、これらの組合せの中から、合計重量である組合せ重量が、組合せ目標重量に等しいかあるいは最も近い組合せを選択し、選択された組合せの計量ホッパから被計量物を排出するものである。
【０００３】
かかる組合せ秤では、一般的に、先ず、供給装置によって被計量物が分散フィーダの円錐状の受け皿であるトップコーンの中央部に供給される。分散フィーダでは、振動によって被計量物を、その周囲に放射状に配置された複数の直進フィーダ（リニアフィーダ）の搬送トラフへ分散して搬送し、各直進フィーダは、前記搬送トラフを振動させて対応する複数の各供給ホッパへ被計量物を供給し、各供給ホッパは、被計量物を一時保持した後、複数の各計量ホッパにそれぞれ投入する。
【０００４】
各計量ホッパで被計量物の重量がそれぞれ計量されて、その計量結果に基づいて、被計量物の重量の組合せが、組合せ目標重量に等しいかあるいは最も近い計量ホッパの組合せが選択されると共に、選択された計量ホッパから被計量物を排出し、包装機へ投入して袋詰めされる。
【０００５】
従来の組合せ秤では、被計量物によっては分散フィーダの搬送量に周方向で片寄りが発生して各リニアフィーダにおける被計量物の搬送厚さが不均一になることがあり、このような場合の対策として、直進フィーダの搬送トラフ上方に弾性材からなる円筒状の搬送調整部材を暖簾状に垂下配設し、移送される被計量物を搬送調整部材で均して、その搬送厚さを均一に規制するようにしたものがある（例えば、特許文献１参照）。
【先行技術文献】
【特許文献】
【０００６】
【特許文献１】特開平１１−３２６０２３号公報
【発明の概要】
【発明が解決しようとする課題】
【０００７】
上記搬送調整部材は、被計量物の搬送経路である分散フィーダのトップコーン及び直進フィーダの搬送トラフに接近して垂下配設されるので、作業終了時や被搬送物の入れ替え、等のために、前記トップコーンや前記搬送トラフを清掃する場合には、搬送調整部材を押し退け変形させながら清掃を行うことになり、清掃作業に手間がかかるものとなっていた。
【０００８】
もちろん、搬送調整部材を取り外せば搬送経路が広く開放されるので、清掃作業そのものは容易になるのであるが、この種の組合せ秤は、一般に、袋詰め装置の上に櫓状に組まれたフレームの階上部に設置されるので、組合せ秤を囲む階上の床面は作業者が移動できる程度の狭いものとなっている。従って、取り外した搬送調整部材を階上の床面に置いておくと、作業者の移動の邪魔になってしまい、清掃作業に不都合となる。また、清掃作業後に搬送調整部材を元の作用姿勢に取り付け調整するのに手間がかかることになり、清掃作業全体としては手間と時間がかかることになる。
【０００９】
本発明は、このような実情に着目してなされたものであって、搬送調整部材を備えた組合せ秤において、清掃作業を搬送調整部材に邪魔されることなく容易に行えると共に、計量作業が可能な状態への復帰も速やかに行えるようにすることを目的としている。
【課題を解決するための手段】
【００１０】
上記目的を達成するために、本発明では、次のように構成している。
【００１１】
（１）本発明は、供給される被計量物を周囲へ分散させる分散部と、該分散部の周囲にそれぞれ配設されて前記分散部で分散される被計量物をそれぞれ搬送する複数の搬送部と、前記分散部または前記搬送部の上方に垂下されて、搬送される被計量物に接触して被計量物の搬送厚さを規制する搬送調整部材とを備える組合せ秤であって、
前記搬送調整部材は、前記被計量物の搬送経路に近接して前記搬送厚さを規制する規制位置と、前記被計量物の搬送経路から離れて前記搬送厚さを規制しない退避位置とに切換え変更可能に設けられる。
【００１２】
本発明によると、作業の終了後、あるいは、被計量物の入れ替え、等に際しての清掃作業においては、搬送調整部材を規制位置から退避位置に切換えて被計量物の搬送経路を開放し、搬送調整部材に邪魔されることなく搬送経路の清掃を行うことができる。また、清掃作業が終了すると、退避位置の搬送調整部材を元の規制位置に切換えることで、直ちに計量作業を行うことができる状態となる
（２）本発明の好ましい実施態様では、前記分散部は、円錐状の受け皿を振動させて受け皿上の被計量物を分散させる分散フィーダであり、前記複数の搬送部は、各搬送トラフをそれぞれ振動させて各搬送トラフ上の被計量物をそれぞれ搬送する複数の直進フィーダであり、前記搬送調整部材は、各搬送トラフ上の被計量物の搬送厚さを規制する。
【００１３】
この実施態様によると、清掃作業においては、搬送調整部材を規制位置から退避位置に切換えて被計量物の搬送経路である、分散フィーダの受け皿及び直進フィーダの搬送トラフを開放し、搬送調整部材に邪魔されることなく搬送経路の清掃を行うことができる。
【００１４】
また、複数の直進フィーダの各搬送トラフ上の被計量物の搬送厚さを規制することによって、分散フィーダによる搬送量に周方向で片寄りが発生しても、直進フィーダでは被計量物の搬送量を一定に調整することができる。
【００１５】
（３）本発明の他の実施態様では、前記搬送調整部材は、前記垂下された状態では、平面視で環状であって、その周方向で複数に分割され、分割された各搬送調整部材は、独立して、前記規制位置と前記退避位置とに切換え変更可能である。
【００１６】
この実施態様によると、規制位置で環状に垂下される搬送調整部材を、扱いやすい大きさに分割して容易に位置切換えを行うことができる。
【００１７】
（４）上記（３）の実施態様では、前記搬送調整部材は、支点周りに回動可能に支持され、一方への回動によって前記規制位置に切換わり、他方への反転回動によって前記退避位置に切換わるようにしてもよい。
【００１８】
この実施態様によると、搬送調整部材の位置変更操作を、回動によって円滑かつ軽快に行うことができる。
【００１９】
（５）上記（４）の実施態様では、前記搬送調整部材は、ブラケットを介して支持フレームに上下回動可能に支持され、下方に回動した搬送調整部材は、前記ブラケットが前記支持フレームに当接して前記規制位置に保持されるようにしてもよい。
【００２０】
この実施態様によると、退避位置から下方に回動するだけで元の規制位置に正しく位置決めすることができ、清掃作業後の復帰操作が簡単容易となる。
【発明の効果】
【００２１】
本発明によれば、清掃作業時には、搬送調整部材の位置を、搬送経路から離れた退避位置へ切換えるので、搬送調整部材に邪魔されることなく容易に搬送経路の清掃を行える一方、清掃作業終了時には、搬送調整部材の位置を、搬送経路に近接する規制位置へ復帰させて計量作業を速やかに開始することができる。
【図面の簡単な説明】
【００２２】
【図１】図１は組合せ秤の正面図である。
【図２】図２は搬送調整部材の平面図である。
【図３】図３は搬送調整部材の正面図である。
【図４】図４は搬送調整部材の縦断側面図である。
【図５】図５は搬送調整部材の分解斜視図である。
【図６】図６は搬送調整部材が規制位置にある状態の斜視図である。
【図７】図７は搬送調整部材が退避位置にある状態の斜視図である。
【図８】図８は搬送調整部材の位置切換え手段の別実施形態を示す縦断側面図である。
【図９】図９は搬送調整部材の位置切換え手段の他の実施形態を示す概略平面図である。
【発明を実施するための形態】
【００２３】
以下、本発明の実施形態を、図面に基づいて詳細に説明する。
【００２４】
図１に、本発明の一実施形態に係る組合せ秤の全体正面図が示されている。
この実施形態の組合せ秤１は、例えば菓子類、その他の食品等の被計量物を計量して所定量ずつ下方に排出するものであって、櫓状に組み上げ立設されたフレームの階上部に設置される。
【００２５】
組合せ秤１の中心上方には、図示しない搬入コンベアで搬送されてきた被計量物を受ける投入ホッパ２が配備され、所定量ずつ計量された被計量物は組合せ秤１の中心下方から排出され、階下に設置した図示しない包装機に投入されて包装される。
【００２６】
組合せ秤１の中央には、略円柱形のセンター基体３が、基台４に取り付けられた４本の脚５によって支持され、このセンター基体３の上部に、投入ホッパ２から落下供給される被計量物を振動によって放射状に分散する分散フィーダ６が装備されている。分散フィーダ６の周囲には、分散された被計量物を振動によって外方に向けて直線搬送する多数の直進フィー７が放射状に設置され、さらに、各直進フィーダ７の終端下方に、直進フィーダ７からの被計量物を一時貯留する供給ホッパ８、および、供給ホッパ８から排出された被計量物を受けてその重量を計測する計量ホッパ９がそれぞれ対応して設けられ、これらリニアフィーダ７、供給ホッパ８、および、計量ホッパ９を１連とする多数連（例えば、８連〜２４連）の計量ユニットがセンター基体３の周囲に環状に配備されている。
【００２７】
環状に配列された各計量ホッパ９の下方には、所定の重量となるように組合せ選択された複数の計量ホッパ９から排出された被計量物を装置中心側に向けて滑落案内する集合シュート１０が設けられると共に、集合シュート１０の下方には、複数の集合シュート１０から滑落した被計量物を集める漏斗状の排出シュート１１が設けられている。
【００２８】
この組合せ秤１では、投入ホッパ２に投入された被計量物は、分散フィーダ６の円錐状の受け皿であるトップコーン６ａの中央部に供給され、分散フィーダ６では振動によって被計量物をその周縁部の複数の直進フィーダ７の搬送トラフ７ａへ搬送する。複数の直進フィーダ７は、分散フィーダ６からの被計量物を、複数の供給ホッパ８へ搬送し、その搬送トラフ７ａの終端から供給ホッパ８に投入する。複数の供給ホッパ８では一時的に被計量物を保持し、排出用のゲート８ａを開放して、供給ホッパ８の下方に配設された計量ホッパ９に被計量物を投入する。各計量ホッパ９では、投入された被計量物の重量がロードセル等の荷重センサ（図示せず）によって計量され、図示しない制御部は、その計量値に基づいて組合せ演算することにより、計量値の合計が組合せ目標重量と一致するか最も近い計量ホッパ９の組合せを求め、この組合せで選択された計量ホッパ９の排出用のゲート９ａを開放して被計量物を排出し、集合シュート１０及び排出シュート１１を介して包装機（図示せず）へ投入し、包装する。
【００２９】
この組合せ秤１では、直進フィーダ７の群の搬送トラフ７ａの上方には、被計量物の搬送厚さを均らすための搬送調整部材１２が、暖簾状に垂下されている。
【００３０】
図２は、この搬送調整部材１２の平面図であり、図３は、その正面図であり、図４は、その縦断側面図である。
【００３１】
この搬送調整部材１２は、図１に示されるように、暖簾状に垂下されて直進フィーダ７の搬送トラフ７ａの搬送面に近接した規制位置では、直進フィーダ７によって搬送される被計量物に上方から摺接することで適度の搬送抵抗を与えて、搬送層の厚さを均一に規制する。この規制位置では、搬送調整部材１２は、図２の平面図に示されるように、環状に配置される。
【００３２】
この実施形態の搬送調整部材１２は、前記環状の周方向に沿って複数に等分割（この例では四分割）されており、分割された搬送調整部材１２は、図５の分解斜視図に示すように、横長の金属帯板材を平面視で略部分円弧状に屈曲した支持アーム１３に沿って、ウレタンゴムなどの弾性材からなる調整部材本体１４を配置し、これに当て板１５を添えてボルト締め連結した構造となっている。
【００３３】
また、調整部材本体１４の直進フィーダ７の搬送トラフ７ａに対向する部位の下端辺にはスリット１６が切込み形成され、調整部材本体１４が搬送される被計量物に適度の抵抗を与えながら弾性変形するように構成されている。
【００３４】
前記支持アーム１３の中央箇所は、図２，図３及び図６の斜視図に示すように、支持フレーム１７に水平支点ｘ周りに回動可能に蝶番２５を介してヒンジ連結されたブラケット１８に連結されており、搬送調整部材１２を上下に回動することで、図１及び図４に示すように、調整部材本体１４の下端が直進フィーダ７の搬送経路である搬送トラフ７ａに所定間隔を持って対向する前記規制位置（ａ）と、図１及び図７の斜視図に示すように、上方に反転回動して直進フィーダ７の搬送トラフ７ａの上方を大きく開放した清掃用の退避位置（ｂ）とに切換えることができるようになっている。
【００３５】
ここで、搬送調整部材１２を下方に回動させると、図４に示すように、ブラケット１８が支持フレーム１７の外側面に当接することで上記規制位置（ａ）に位置決めされ、自重でその姿勢に保持される。また、上方に反転回動すると、ヒンジ支点の回動限界によって上記退避位置（ｂ）までの回動が許容され、自重によってその姿勢に保持される。
【００３６】
なお、搬送調整部材１２の支持フレーム１７は、中抜き枠状に構成されて、センター基体３あるいは脚５などから立設した４本の支柱１９に連結支持されており、この支持フレーム１７の中央開口部位に前記投入ホッパ２が配置されて連結支持されている。支持フレーム１７の支柱１９に対する取付け高さを調整することによって、搬送調整部材１２による被計量物の搬送厚さを調整することができる。
【００３７】
この実施形態では、以上のように構成されており、作業の終了後、あるいは、被計量物の入れ替え、等に際しての清掃作業においては、各搬送調整部材１２を規制位置（ａ）から退避位置（ｂ）に切換えて直進フィーダ７の上方を大きく開放することができる。その際、搬送調整部材１２は四分割されているので、４本の支柱１９に妨げられることなく、退避位置（ｂ）である上方へ円滑に回動させることができる。
【００３８】
退避位置では、直進フィーダ７の搬送トラフ７ａ及びトップコーン６ａの上方を大きく開放することができるので、搬送調整部材１２に邪魔されることなく、搬送トラフ７ａ及びトップコーン６ａの清掃を行うことができる。
【００３９】
しかも、退避位置（ｂ）に切換え移動させた搬送調整部材１２は、高位置にあるので、作業者が移動するのに妨げとなることがなく、組合せ秤１の周囲を移動しながらの清掃作業を容易に行うことができる。
【００４０】
また、清掃作業が終了すると、退避位置（ｂ）の搬送調整部材１２を振り下ろし回動するだけで元の規制位置（ａ）となり、直ちに計量作業を行うことができる状態となる。
【００４１】
（他の実施形態）
本発明は、以下のような形態で実施することもできる。
【００４２】
（１）上記実施形態では、搬送調整部材１２を周方向に四分割した場合を例示したが、二分割、三分割、あるいは、四分割以上の複数分割にして実施することもできる。
【００４３】
（２）搬送調整部材１２の調整部材本体１４は、弾性変形可能な弾性材の他に、金属板を利用してもよい。
【００４４】
（３）搬送調整部材１２の重量が大きい場合には、ガスダンパやバランスバネを利用することで搬送調整部材１２の上方への反転回動操作を軽く行うことができる。
【００４５】
（４）図８（ａ）に示すように、各搬送調整部材１２の中央に備えたブラケット１８を、支持フレーム１７に立設した一対の支軸２０に沿って平行に上下スライド自在に支持し、下方にスライドさせて支持フレーム１７で受け止めることで前記規制位置（ａ）に保持し、上方へスライドしてボールデテント２１あるいはロック爪などで前記退避位置（ｂ）に係止保持する形態で実施することも可能である。この場合も、ガスダンパやバランスバネを利用すれば搬送調整部材１２の持上げ操作を軽く行うことができる。
【００４６】
（５）図８（ｂ）に示すように、各搬送調整部材１２を、四連リンク機構２２を介して上下移動可能に支持して、前記規制位置（ａ）と退避位置（ｂ）とに亘って切換え可能に構成することもできる。この場合も、ボールデテント２１あるいはロック爪などで搬送調整部材１２を退避位置（ｂ）で係止保持するよう構成しておくとよい。
【００４７】
（６）図９に示すように、分割した各搬送調整部材１２を、その一端部に備えた縦向きの支点ｙを中心に横方向に回動可能に支持する形態で実施することも可能である。
【００４８】
（７）搬送調整部材１２を、分散フィーダ６の外周部上方に配置した形態で実施することもできる。
【符号の説明】
【００４９】
１              組合せ秤
６              分散フィーダ
６ａ            トップコーン
７              リニアフィーダ
７ａ            搬送トラフ
８              供給ホッパ
９              計量ホッパ
１２            搬送調整部材
１７            支持フレーム
２５            蝶番
（ａ）          作用位置
（ｂ）          退避位置
ｘ              支点
ｙ              支点
【図１】
2014025844.tif 000003
【図２】
2014025844.tif 000004
【図３】
2014025844.tif 000005
【図４】
2014025844.tif 000006
【図５】
2014025844.tif 000007
【図６】
2014025844.tif 000008
【図７】
2014025844.tif 000009
【図８】
2014025844.tif 000010
【図９】
2014025844.tif 000011